(57)【要約】  ワイヤレスデジタルコンテンツの直流ダウンロード方法及びその装置は、直流ダウンロード、格納及び出力のデジタルコンテンツパケットスイッチングを制御するための審判回路モジュールを有するプロセッサーを含み、さらに、AV出力する出力ユニットと、ネットワークに接続するワイヤレス通信モジュールと、コンテンツを格納するメモリユニットとがあり、少ないメモリ容量で、直流ダウンロード方式よりインターネットに接続するサーバでデジタルコンテンツをダウンロードし、即時連続のAV再生をして、且つ、メモリデータ格納容量を検知する装置で、ワイヤレス通信モジュールをオン或はオフするか否かを判断し、省電力かつ省メモリコストの目的を達成する。【選択図】図３
2007019884.tif 000002
【特許請求の範囲】
【請求項１】
直流ダウンロード、格納及び出力のデジタルコンテンツパケットスイッチングを制御するための審判回路モジュールを含むプロセッサーと、
映像信号及び音声信号の出力を含み、プロセッサーに電気的に接続する出力ユニットと、
ワイヤレスＬＡＮに接続し、直流でデジタルコンテンツパケットスイッチングをダウンロードし、プロセッサーに電気的に接続するワイヤレス通信モジュールと、
直流ダウンロードしたデジタルコンテンツパケットスイッチングを格納するレジスターメモリを含み、プロセッサーに電気的に接続するメモリユニットと、
操作命令を入力し、プロセッサーに電気的に接続する入力ユニットと、
プロセッサーに電気的に接続し、データ伝送とワイヤレスデジタルコンテンツの直流ダウンロード装置への充電を行い、さらにネットワークに接続する通信ユニットとを含み、
前記メモリユニットは、少量のレジスターメモリを提供し、ダウンロードしたデジタルコンテンツパケットスイッチングをレジスターメモリに記憶しておき、且つ、ＦＩＦＯにより即時再生して消費することを特徴とするワイヤレスデジタルコンテンツの直流ダウンロード装置。
【請求項２】
外接の格納媒体をワイヤレスデジタルコンテンツの直流ダウンロード装置に接続するための外接記憶装置インターフェースをさらに設けることを特徴とする請求項１記載のワイヤレスデジタルコンテンツの直流ダウンロード装置。
【請求項３】
前記デジタルコンテンツの直流ダウンロードをした後に、外接記憶装置インターフェースを介して外接の格納媒体に格納することを特徴とする請求項２記載のワイヤレスデジタルコンテンツの直流ダウンロード装置。
【請求項４】
前記プロセッサーには、メモリユニット及びワイヤレス通信モジュールと電気的に接続する制御ユニットを含むことを特徴とする請求項１記載のワイヤレスデジタルコンテンツの直流ダウンロード装置。
【請求項５】
前記プロセッサーは、メモリユニットのデータ格納容量状態を検知し、データ格納容量が設定の上限に達するか超える時に、ワイヤレス通信モジュールをオフしてダウンロードを一時的に停止し、容量が設定の下限まで消費される時に、ワイヤレス通信モジュールをオンしてダウンロードするメモリデータ格納容量検知モジュールを含むことを特徴とする請求項４記載のワイヤレスデジタルコンテンツの直流ダウンロード装置。
【請求項６】
前記プロセッサーは、出力ユニットに電気的に接続するデコーダユニットを含むことを特徴とする請求項１記載のワイヤレスデジタルコンテンツの直流ダウンロード装置。
【請求項７】
前記メモリユニットは、ＲＯＭをさらに含むことを特徴とする請求項１記載のワイヤレスデジタルコンテンツの直流ダウンロード装置。
【請求項８】
前記メモリユニットは、データ格納用としてのフラッシュメモリを含むことを特徴とする請求項１記載のワイヤレスデジタルコンテンツの直流ダウンロード装置。
【請求項９】
前記メモリユニットは、データ格納用としてのＤＲＡＭを含むことを特徴とする請求項１記載のワイヤレスデジタルコンテンツの直流ダウンロード装置。
【請求項１０】
前記出力ユニットは、映像通信インターフェースを介して接続する表示ユニットと、音声通信インターフェースを介して接続する音声通信ユニットとをさらに含むことを特徴とする請求項１記載のワイヤレスデジタルコンテンツの直流ダウンロード装置。
【請求項１１】
さらに台座が接続され、台座の拡大インターフェースよりワイヤレスデジタルコンテンツの直流ダウンロード装置に接続し、
前記台座は、
拡大インターフェースに電気的に接続し、ワイヤレスデジタルコンテンツの直流ダウンロード装置の電源を供給する電源ユニットと、
拡大インターフェースに電気的に接続し、遠距離制御するための制御インターフェースと、
拡大インターフェースに電気的に接続し、ワイヤレスデジタルコンテンツの直流ダウンロード装置にネットワークの接続を提供するネットワークインターフェースとを含むことを特徴とする請求項１記載のワイヤレスデジタルコンテンツの直流ダウンロード装置。
【請求項１２】
パソコンシステムに接続するための通信インターフェースをさらに設けることを特徴とする請求項１１記載のワイヤレスデジタルコンテンツの直流ダウンロード装置。
【請求項１３】
前記通信インターフェースは、ＵＳＢ通信ポートであることを特徴とする請求項１２記載のワイヤレスデジタルコンテンツの直流ダウンロード装置。
【請求項１４】
前記電源ユニットは、充電電池であることを特徴とする請求項１１記載のワイヤレスデジタルコンテンツの直流ダウンロード装置。
【請求項１５】
前記電源ユニットは、外接電源であることを特徴とする請求項１１記載のワイヤレスデジタルコンテンツの直流ダウンロード装置。
【請求項１６】
前記制御インターフェースは、赤外線遠距離制御インターフェースであることを特徴とする請求項１１記載のワイヤレスデジタルコンテンツの直流ダウンロード装置。
【請求項１７】
前記制御インターフェースは、bluetooth （登録商標）遠距離制御インターフェースであることを特徴とする請求項１１記載のワイヤレスデジタルコンテンツの直流ダウンロード装置。
【請求項１８】
前記制御インターフェースは、無線遠距離制御インターフェースであることを特徴とする請求項１１記載のワイヤレスデジタルコンテンツの直流ダウンロード装置。
【請求項１９】
ワイヤレスデジタルコンテンツの直流ダウンロード装置に用い、デジタルコンテンツを供給する一或は複数のサーバで直流ダウンロードするワイヤレスデジタルコンテンツの直流ダウンロード方法において、
ネットワークの接続状態を検知する工程と、
メモリデータ格納容量を検知する工程と、
ワイヤレスＬＡＮよる接続を起動する工程と、
データをワイヤレス直流ダウンロードする工程と、
データをレジスターメモリに記憶しておく工程と、
ＦＩＦＯによりデータを取り出す工程と、
デコードした後にデータを出力する工程と、
データをワイヤレス直流ダウンロードすることを継続するか否かを判断する工程と、
ネットワークの接続をオフする工程とを含み、
前記直流ダウンロード方法により極めて少ないメモリを使用する目的を達成し、
さらに、メモリデータ格納容量状態を検知することにより、ネットワークの接続をオン或はオフするか否かを決定し、容量が設定の上限に達するか超える時に、ネットワークの接続をオフしてダウンロードを一時的に停止し、容量が設定の下限まで消費される時に、ネットワークの接続をオンしてダウンロードすることで、ワイヤレスデジタルコンテンツの直流ダウンロード装置の省電力の目的を達成する
ことを特徴とするワイヤレスデジタルコンテンツの直流ダウンロード方法。
【請求項２０】
前記ワイヤレスデジタルコンテンツの直流ダウンロード装置のメモリユニットのメモリデータ格納容量を検知することを特徴とする請求項１９記載のワイヤレスデジタルコンテンツの直流ダウンロード方法。
【請求項２１】
前記メモリユニットは、フラッシュメモリ或はＤＲＡＭを含むことを特徴とする請求項２０記載のワイヤレスデジタルコンテンツの直流ダウンロード方法。
【請求項２２】
前記ワイヤレスによるネットワークの接続をオン或はオフする工程は、前記ワイヤレスデジタルコンテンツの直流ダウンロード装置のワイヤレス通信モジュールをオン或はオフする工程であることを特徴とする請求項１９記載のワイヤレスデジタルコンテンツの直流ダウンロード方法。
【請求項２３】
前記ワイヤレス通信モジュールをオフする工程は、省電力モード入りを含むことを特徴とする請求項２２記載のワイヤレスデジタルコンテンツの直流ダウンロード方法。
【請求項２４】
前記ワイヤレス通信モジュールをオフする工程は、睡眠モード入りを含むことを特徴とする請求項２２記載のワイヤレスデジタルコンテンツの直流ダウンロード方法。
【請求項２５】
前記データをワイヤレス直流ダウンロードするか否かを判断する工程は、ダウンロードする必要があると、引き続いて、前記ワイヤレスによるネットワークの接続が起動されるか否かを判断し、前記ワイヤレスによるネットワークの接続が起動されないと、先に前記ワイヤレスによるネットワークの接続が起動してからダウンロードし、前記ワイヤレスによるネットワークの接続が起動されると、そのままダウンロードすることを特徴とする請求項１９記載のワイヤレスデジタルコンテンツの直流ダウンロード方法。
【発明の詳細な説明】
【技術分野】
【０００１】
本発明は、ワイヤレスデジタルコンテンツの直流ダウンロード方法及びその装置に係わり、とくに、ワイヤレスＬＡＮによるデジタルコンテンツの直流ダウンロード方法及びそれを実施する装置に関するものである。
【背景技術】
【０００２】
普通の携帯式デジタルAV装置、例えば、MP3プレーヤー内において、内蔵のフラッシュメモリ(flash memory)或はハードディスクなどの記憶装置でデジタルサウンドファイルを格納することにより、ユーザが常に映像や音楽を楽しむことができる。
【０００３】
映像や音声及び音楽をダウンロードする方法については、米国特許第6,085,252 号明細書(Device, System and Method for Real-Multimedia Streaming) に開示される即時マルチメディア装置及び直流ダウンロード方法を参照でき、この装置は、ネットワークパケットスイッチングを受信した後に、パケットスイッチングプロセスやパケットスイッチング脱落及びミスの評価を経て、新たな伝送及び流量品質制御(Quality of Service, QoS) の手段によってスムーズな受信目的を達成でき、最後にプレーヤーにより再生する。
【０００４】
米国特許第6,665,772 号明細書は、直流或は非直流の方式でデータを格納する方法を開示しており、メモリアドレスを組織する工程と、メモリアドレスの方向をアクセスする二つのロジックシーケンス(logical sequence)で直流或は直流データを格納する工程と、メモリアドレスを新たに配分する工程などを含む。
【０００５】
米国特許第6,263,371 号明細書(Method and Apparatus for Seaming of Streaming Content) に記載されるように、どのようにしてシーケンスナンバー(sequencenumber) 或は時間スタンプ(timestamp) で異なるソースのパケットスイッチングの識別を判別することによって、即時にコンテンツをダウンロードする目的を達成することが開示される。また、その直流ダウンロード装置に代理モジュール(Proxy) をさらに設けることにより、脱落したパケットスイッチングを検知し、さらに他のダウンロードソースのパケットスイッチングで切り換えして、ダウンロードデータの間のギャップ(gap) を最も小さく低下させる。
【発明の開示】
【発明が解決しようとする課題】
【０００６】
従来の技術より、ネットワークパケットスイッチングの処理や直流ダウンロード技術が知られ、さらにワイヤレス通信システムも自明であるが、従来の技術において提供される携帯式デジタルサウンド装置は、その記憶容量に対しての要求と使用するデジタルコンテンツファイルとが緊密に関連しており、この装置のコストの最も重要なソース元になる。しかしながら、その電源供給は従来の携帯式デジタルサウンド装置の最大の問題になるはずであり、例えば、ワイヤレスＬＡＮでコンテンツをダウンロードする時に、ワイヤレス通信モジュールはその最も大きい電力消費の主因になり、また、ハードディスクドライブが要望する電力を駆動するのも、従来の装置の電力消費の主因になる。
【０００７】
従来の技術がデータダウンロードや電力消費に対しての欠点について、本発明は新たなワイヤレスデジタルコンテンツの直流ダウンロード方法及びその装置を供給する。
【課題を解決するための手段】
【０００８】
ワイヤレスデジタルコンテンツの直流ダウンロード方法及びその装置は、少ない記憶容量を使用し、直流ダウンロード方式で、インターネットに接続するサーバよりデジタルコンテンツをダウンロードし、即時連続のAV再生をする。本装置は、ユーザがダウンロードするデータを外接記憶装置に保存でき、或は聞いた後に又は観賞した後にデータを放棄して保存しないが、即時連続のAV再生には影響しないとともに、メモリデータ格納容量を検知する装置で、ワイヤレス通信モジュールをオン或はオフすることを実行するか否かを判断し、省電力かつ省メモリコストの目的を達成する。
【０００９】
本発明の実施例に係るワイヤレスデジタルコンテンツの直流ダウンロード装置は、直流ダウンロード、格納及び出力のデジタルコンテンツパケットスイッチングを制御するための審判回路モジュールを有するプロセッサーと、映像信号及び音声信号の出力を含み、プロセッサーに電気的に接続する出力ユニットと、ワイヤレスＬＡＮに接続してデジタルコンテンツパケットスイッチングを直流ダウンロードし、プロセッサーに電気的に接続するワイヤレス通信モジュールと、直流ダウンロードしたデジタルコンテンツパケットスイッチングを格納するレジスターメモリを含み、プロセッサーに電気的に接続するメモリユニットと、プロセッサーに電気的に接続し、操作命令を入力するための入力ユニットとを含む。
【００１０】
このメモリユニットは、少ないレジスターメモリを供給し、ダウンロードしたデジタルコンテンツパケットスイッチングをレジスターメモリに記憶しておき、且つ、即時再生して消費され、実施例では、プロセッサーよりこのメモリユニットのメモリデータ格納容量状態を検知することで、このワイヤレス通信モジュールをオン或はオフするか否かを決定し、ワイヤレスデジタルコンテンツの直流ダウンロード装置の電力消費量を節約できる。
【００１１】
本発明に係るワイヤレスデジタルコンテンツの直流ダウンロード方法は、ワイヤレスデジタルコンテンツの直流ダウンロード装置に用い、デジタルコンテンツを供給する一或は複数のサーバで直流ダウンロードするワイヤレスデジタルコンテンツの直流ダウンロード方法において、装置を起動した後に、ネットワークの接続状態とメモリデータ格納容量を検知し、そして、ワイヤレスＬＡＮよる接続を起動し、データをワイヤレス直流ダウンロードし、データをレジスターメモリに記憶しておき、さらにＦＩＦＯによりデータを取り出してから、デコードした後にデータを出力ユニットに即時に出力し、データをダウンロードする際に、データをワイヤレス直流ダウンロードすることを継続するか否かを常に判断し、即ち、メモリデータ格納容量状態を検知することにより、ネットワークの接続をオン或はオフするか否かを決定し、レジスターメモリがデータを格納する容量が設定の上限に達するか超える時に、ネットワークの接続をオフしてダウンロードを一時的に停止し、容量が設定の下限まで消費される時に、ネットワークの接続をオンしてダウンロードすることで、ワイヤレスデジタルコンテンツの直流ダウンロード装置の省電力の目的を達成する。
【発明を実施するための最良の形態】
【００１２】
本発明は、メモリ消費の減少や即時AV伝送やモバイルAV、並びに著作権保護の目的を兼ねる装置を提供するために、ワイヤレスデジタルコンテンツの直流ダウンロード方法及びその装置を提供し、以下の特徴がある。
（１）少ないレジスターメモリを利用する、
（２）ワイヤレス（或は有線）直流ダウンロード方式で、インターネットに接続するサーバよりデジタルコンテンツをダウンロードし、その中では、ワイヤレス通信プロトコル、例えば、WiFi(IEEE802.11x) 、WiMAX(IEEE802.16x)、GPRSなどや、有線接続方式、例えば、ADSL、Cable Modem などを含むが、これらの実施態様に限られない。
（３）即時連続のAV再生を生じる、
（４）本装置はユーザがダウンロードするデータを外接（外付け）記憶装置に保存でき、或は再生した後にデータを放棄して保存しない、さらに、好適な認証手段を加え、ユーザが合法且つ安全な直流ダウンロード手段によりモバイルAV情報を楽しめ、並びに著作権保護の目的に兼ねられる、
（５）メモリデータ格納容量状態を検知する装置で、ワイヤレス通信モジュールをオン或はオフするか否かを判断し、省電力且つメモリコストの節約の目的を達成でき、前記ワイヤレス通信モジュールのオフ状態は、省電力モード(Power saving mode) 或は睡眠モード(Sleeping mode) を含み、デジタルコンテンツのダウンロードを停止させ、また、ワイヤレス通信モジュールを起動することとは、ワイヤレス通信モジュールを正常な働き（実働）状態に戻らせ、デジタルコンテンツをダウンロードし始めることであるので、電力消費量が正常な働き時電力消費量に戻る。
【００１３】
図１は、本発明に係るワイヤレスデジタルコンテンツの直流ダウンロード装置及びそのインターネットを接続する実施例を示す図である。図１では、インターネット10と接続するサーバ12a，12b，12cがあり、一箇所のサーバよりこのデジタルコンテンツを供給することには限られず、インターネットの伝送能力やデータの処理能力(throughput)或はサービス冗長性(service redundancy)などから、複数のインターネット10を接続するサーバ12a，12b，12cが設けられ、ユーザより携帯式AV装置100，100’でダウンロードしたデジタルAVコンテンツや、各サーバのデータベース14a，14b，14cなどに格納するデジタルコンテンツが、例えば、MP3などの音楽パケットフォーマットによる音楽ダウンロードを供給し、さらにOGM、WMA、WAV、AACなどのパケットフォーマットの音楽ファイルを含み、さらに例えば、MPEGフィルムファイル、電子ブック、ピクチャー、ニュース、ゲームソフトウェアなども含む。前記携帯式AV装置100，100’は、ワイヤレス或は有線方式でインターネット10を接続し、その実施例は図２を参照できる。
【００１４】
図２に示されるように、携帯式AV装置100と機能を拡大（拡張）でき且つ電源に接続する台座20とを含み、携帯式AV装置100は、少なくとも、フィルムや画像或は会話形メニュー(interactive menu)を表示するディスプレイ21と、外観設計のために露出しない内嵌式のアンテナで良く、ワイヤレスＬＡＮに接続するアンテナ22と、複数のボタンより構成され、或はタッチボタン、並びに音声入力などの入力インターフェース23とを含み、装置100に通信ポート29を設け、この通信ポート29はUSBインターフェースの通信ポートで良く、パソコンに接続することでデータ更新や伝送などの目的を達成し、装置100に充電してもよく、また、この通信ポート29は、ワイヤレスネットワークがない環境では、適当なインターフェースで有線ＬＡＮポートに転接し、ネットワークに接続する目的を達成する。また、第１の音声信号出力インターフェース24は、イアホーンに接続し或はサウンド設備に外接できる。
【００１５】
携帯式AV装置100は、さらに接続インターフェースにより台座20に接続し、台座20の好ましい実施例は、イアホーン或は外接サウンドでデジタルコンテンツを再生する第２の音声信号出力インターフェース26を供給でき、台座20はさらに有線ＬＡＮポート27、例えばRJ45などを含み、ワイヤレスネットワークがない環境においても、有線ＬＡＮポート２７でネットワークに接続でき、電源ポート28は外接のAC或はDCを装置100に供給し充電する。台座20は、さらに、制御インターフェース25を設置して、リモコン（図示せず）を用い無線や赤外線(IrDA)やbluetooth（登録商標）などの伝送プロトコルで遠距離（リモート）制御の機能を提供できる。
【００１６】
図３は携帯式AV装置100の実施例の内部の各機能ユニットのブロック図であり、装置100は、主に、（1）信号入出力や直流ダウンロード流量規制やメモリアドレスなどの処理を実行するプロセッサー30と、（2）プロセッサー30に電気的に接続する出力ユニット31と、（3）プロセッサー30に電気的に接続するワイヤレス通信モジュール32及びメモリユニット33と、（4）操作命令を入力するためのプロセッサー30に電気的に接続する入力ユニット34と、（5）デジタルコンテンツを含む外接格納媒体（例えば、フラッシュメモリ、外接ハードディスク、光ディスク、メモリカードなど）に接続し、本発明の携帯式AV装置100によりその中のデジタルコンテンツを再生し、プロセッサー30に電気的に接続する外接記憶装置インターフェース36と、また、他の好ましい実施例では、前記直流ダウンロードを除く、本発明が提供するワイヤレスデジタルコンテンツの直流ダウンロード装置は、さらに、ユーザより外接記憶装置インターフェースを介してダウンロードしたデジタルコンテンツを外接格納媒体に格納でき、例えば、デジタルコンテンツ供給メーカーが、そのダウンロード策略によって、ユーザよりダウンロードしたデジタルコンテンツを外接記憶装置インターフェースを介して外接格納媒体に格納するか否かを決定でき、（6）USB、IEEE1394などのような伝送インターフェースであって、パソコンシステム（図示せず）に接続し、データ伝送と装置100への充電を行い、さらに、ワイヤレスネットワークがない環境において、適当なインターフェースで有線ＬＡＮポートに転接しネットワークに接続できる通信ユニット37とを含む。
【００１７】
プロセッサー30は、直流ダウンロード、格納及び出力のデジタルコンテンツパケットスイッチングを制御するための審判（判定）回路モジュール（図示せず）を備え、データの継ぎ目のない再生を確保し、プロセッサー30は制御ユニット302とデコードユニット301を有し、制御ユニット302をメモリユニット33に電気的に接続し、デコードユニット301を出力ユニット31に電気的に接続することで、装置100をオンした後に、ワイヤレス通信モジュール32が起動され、インターネットに接続するデジタルコンテンツサーバよりデジタルコンテンツをダウンロードし、制御ユニット302を介してメモリユニット33のレジスターに格納し、さらにデコードユニット301を介して即時にデコードしてから出力ユニット31に出力する。
【００１８】
前記メモリユニット33内に、フラッシュメモリ或はDRAM(Dynamic Random Access Memory)である第１メモリユニット331を備え、この第１メモリユニット331は、少量のレジスタ記憶空間を提供し、ダウンロードされたデジタルコンテンツをこの第１メモリユニット331に格納しておき、さらに実際の状況に応じて即時再生する。最も少ないメモリで継ぎ目(seamless)のない直流ダウンロード並びに即時にAVコンテンツサービスを楽しめる目的を達成し、前記プロセッサー30は、メモリユニットのメモリアドレス(addressing)能力を含み、メモリでのデータ格納容量を異なるブロックに分割し並びに指標(index) を設定し、さらに、データ格納容量の上限と下限とそれに対応するアドレスを設定する。
【００１９】
制御ユニット302は、ソフトウェア或はハードウェアよりなるメモリデータ格納容量検知モジュール（図示せず）のようなメモリデータ格納容量検知手段を含み、第１メモリユニット331のデータ格納容量状態を常に検知し、容量が設定の上限に達するか超える時に、制御ユニット302は、ワイヤレス通信モジュール32をオフして、そのときに、オフ状態でのワイヤレス通信モジュールは、省電力モード或は睡眠モードを指し、デジタルコンテンツのダウンロードを停止させ、電力消費量を節約でき、容量が設定の下限まで消費される時に、ワイヤレス通信モジュール32をオンして、このときにワイヤレス通信モジュールを起動することとは、このワイヤレス通信モジュールが正常な働き状態に戻り、デジタルコンテンツをダウンロードし始めるので、電力消費量が正常な働き時電力消費量に戻る。プロセッサーでメモリデータ格納容量を継続的に検知し、設定されたメモリデータ格納容量の上下限に達するか否かを見て、ワイヤレス通信モジュール32をオフ或はオンすることを決定し、ワイヤレス通信モジュール32の省電力の目的を達成する。メモリユニット33での第２メモリユニット332は、ROM(Read Only Memory)或はSRAMなどで、本発明のワイヤレスデジタルコンテンツの直流ダウンロード装置の内嵌め式の作業システム(OS)とその周辺の駆動プログラムをダウンロードできる。
【００２０】
メモリユニット33からデジタルコンテンツを取り出すと、パケットしたAVファイルがプロセッサー30のデコーダユニット301を介してデコードされた後に、映像部分が出力ユニット31の映像通信（出力）インターフェース311を介して表示ユニット313、例えば、装置100での液晶ディスプレイに出力し、また、音声部分が音声通信（出力）インターフェース312を介して音声通信ユニット31４に出力し、イアホーンなどで聴ける。
【００２１】
また、本実施例が設ける外接記憶装置インターフェース36は、外接格納媒体が本発明の携帯式AV装置100に接続することより、外接格納媒体中のデジタルコンテンツを再生し、その内に格納されたデジタルコンテンツをプロセッサー30のデコーダユニット301を介してデコード処理してから、出力ユニット31に出力できる。
【００２２】
図４は携帯式AV装置100が拡大（拡張）インターフェース４１を介して拡大（拡張）台座20に接続するブロック図であり、台座20には、少なくとも、装置100に接続する拡大インターフェース４１と、充電電池或は外接電源(AC/DC) であって、電源或は充電電力を装置100に供給する電源ユニット４２と、赤外線遠距離制御インターフェースやbluetooth（登録商標）遠距離制御インターフェース或は無線遠距離制御インターフェースであって、遠距離制御する制御インターフェース４４と、ワイヤレスネットワークがない環境において、有線ＬＡＮでネットワークに接続するネットワークインターフェース45と、パソコンシステム（図示せず）に接続する通信インターフェース（例えば、USB、IEEE1394など）43とを含む。
【００２３】
本発明に係るワイヤレスデジタルコンテンツの直流ダウンロード方法は、図５に示す好ましい実施例を参照すると、ワイヤレスデジタルコンテンツの直流ダウンロード装置に用いるダウンロード方法は、デジタルコンテンツを供給する一或は複数のサーバで直流ダウンロードするもので、以下のような工程を含む。先ず、装置を起動し（ステップS501）、ワイヤレスデジタルコンテンツの直流ダウンロード装置内部の処理フローは、ネットワークの接続状態とメモリユニット内のメモリデータ格納容量を検知してから（ステップS503）、ワイヤレスＬＡＮよる接続を起動し、即ち、この装置のワイヤレス通信モジュールを起動し（ステップS505）、起動してからデータをワイヤレス直流ダウンロードする（ステップS507）。
【００２４】
直流ダウンロードした後に、データをフラッシュメモリ或はDRAMであるレジスターメモリに記憶しておき（ステップS509）、さらにFIFO(First-In First-Out)によりレジスタメモリからデータを取り出して（ステップS511）、即ち、先に格納されるメモリのデータが先に使用、消費され、その後に、デコードした後にデータを出力ユニット31に即時に出力し（ステップS513）、ユーザが即時のデジタルコンテンツを楽しめる。同時に、装置内のプロセッサーがメモリユニット内のデータ格納状態を検知し（ステップS515）、メモリデータ格納容量の使用状況によってデータをダウンロードするか否かを判断し（ステップS517）、メモリデータ格納容量が設定の下限より低下すると、データ量がそろそろ使用尽くされることを表し、更なるダウンロードが必要で、ステップS521に進んで、ワイヤレス通信モジュールが起動されるか否かを判断し、その時にワイヤレス通信モジュールが起動していると、ステップS507及びその以降ステップを行い、その時にワイヤレス通信モジュールがオフしていると、ステップS505〜ステップS515のフロー（ワイヤレス通信モジュールの起動、直流ダウンロード、ファイルの一時格納、データ取出し、デコードした後に即時にAV出力並びにメモリユニット状態の検知などを含む）を行い、メモリデータ格納容量が設定の上限に達するか超えると、データ量が十分であり装置がデータを継続的に出力できることを表し、ダウンロードする必要がなく、ワイヤレスＬＡＮでの接続をオフして、即ち、装置のワイヤレス通信モジュールをオフするが（ステップS519）、同時に、ステップS511とステップS513などのデータ取出しやデコードや出力などの工程、及びステップS515のメモリユニット内のデータ格納状態を継続的に検知するなどの工程を行える。
【００２５】
前記実施内容は本発明のワイヤレスデジタルコンテンツの直流ダウンロード方法及びその装置の好ましい実施例であって、極めて少ないメモリで、ワイヤレス直流ダウンロードとデジタルコンテンツの即時再生の目的を達成できる。
【００２６】
以上の添付図面は参考及び説明だけに使用され、本発明を限るものではない。
【００２７】
上記のように、本発明は確かに高度な実用価値があるものであり、産業上の利用性、新規性及び進歩性が有る。
【００２８】
しかし、前記に開示されたそれぞれの具体的な構成は、単に本発明の実施可能な実施例に過ぎず、本発明の特徴を局限するものではなく、いずれの当該分野における通常の知識を有する専門家が本発明の分野の中で、適当に変更や修飾などを実施できるが、それらの実施が本発明の主張範囲内に入ることは言うまでもないことである。
【図面の簡単な説明】
【００２９】
【図１】本発明に係るワイヤレスデジタルコンテンツの直流ダウンロードを示す図である。
【図２】本発明に係るワイヤレスデジタルコンテンツの直流ダウンロード装置を示す図である。
【図３】図３は本発明に係るワイヤレスデジタルコンテンツの直流ダウンロード装置の回路のブロック図である
【図４】本発明に係るワイヤレスデジタルコンテンツの直流ダウンロード装置及びその台座の回路のブロック図である。
【図５】本発明に係るワイヤレスデジタルコンテンツの直流ダウンロード方法のフローチャートである。
【符号の説明】
【００３０】
10  インターネット
12a，12b，12c  サーバ
14a，14b，14c  データベース
20  台座
21  ディスプレイ
22  アンテナ
23  入力インターフェース
24  第１の音声信号出力インターフェース
25  制御インターフェース
26  第２の音声信号出力インターフェース
27  有線ＬＡＮポート
28  電源ポート
29  通信ポート
30  プロセッサー
31  出力ユニット
32  ワイヤレス通信モジュール
33  メモリユニット
34  入力ユニット
36  外接記憶装置インターフェース
37  通信ユニット
41  拡大インターフェース
42  電源ユニット
43  通信インターフェース
44  制御インターフェース
45  ネットワークインターフェース
46  通信インターフェース
100，100’  携帯式AV装置
301  デコードユニット
302  制御ユニット
311  映像通信インターフェース
312  音声通信インターフェース
313  表示ユニット
314  音声通信ユニット
331  第１メモリユニット
332  第２メモリユニット
【図１】
2007019884.tif 000003
【図２】
2007019884.tif 000004
【図３】
2007019884.tif 000005
【図４】
2007019884.tif 000006
【図５】
2007019884.tif 000007